(57)【要約】  【課題】  制御入力端子を使用して外部から操作するときの操作性を向上することのできる音量調整装置を提供する。  【解決手段】  音量調整装置１０は、音量調整器１２と、外部のアナログ音量操作子３０から音量を制御するための制御入力信号を入力する制御入力端子２４と、制御入力信号をデジタル信号に変換するＡＤコンバータ２２と、デジタル信号に変換された制御入力信号に応じて音量調整器１２を制御する制御部２０とを備えている。【選択図】  図１
2005328229.tif 000002
【特許請求の範囲】
【請求項１】
音量調整器と、
外部のアナログ音量操作子から音量を制御するための制御入力信号を入力する制御入力端子と、
前記制御入力信号をデジタル信号に変換するＡＤコンバータと、
デジタル信号に変換された制御入力信号に応じて前記音量調整器を制御する制御部と、
を備えたことを特徴とする音量調整装置。
【請求項２】
複数の音量調整器の機能を備えた音量調整手段と、
外部のアナログ音量操作子から音量を制御するための制御入力信号を入力する制御入力端子と、
前記制御入力信号をデジタル信号に変換するＡＤコンバータと、
前記音量調整手段から少なくとも一の制御対象の音量調整器を選択するセレクタと、
デジタル信号に変換された制御入力信号に応じて、前記セレクタにより選択された前記音量調整器を制御する制御部と、
を備えたことを特徴とする音量調整装置。
【請求項３】
前記音量調整手段から選択される少なくとも一の制御対象の音量調整器を示す調整器選択パターンを記憶する調整器選択パターン記憶手段を備えており、前記調整器パターンに示される音量調整器が前記セレクタにより選択されることを特徴とする請求項２に記載の音量調整装置。
【請求項４】
前記アナログ音量操作子の操作量と音量の関係を示す調整特性を記憶する調整特性記憶手段を備え、前記制御部は、前記調整特性に従って前記音量調整器を制御することを特徴とする請求項１ないし３のいずれかに記載の音量調整装置。
【請求項５】
前記調整特性記憶手段には、操作量に応じた音量の変化が異なる複数種類の調整特性が記憶されており、
前記複数種類の調整特性のうちで音量調整に適用される調整特性を切り替える特性切替手段が設けられていることを特徴とする請求項４に記載の音量調整装置。
【発明の詳細な説明】
【技術分野】
【０００１】
本発明は、外部から音量を制御するための制御入力信号を入力する制御入力端子を備えた音量調整装置に関するものである。
【背景技術】
【０００２】
従来のミキサ等の音量調整装置は、周知のように複数の入力チャネルおよび出力チャネルを有しており、それらチャネルの音量を調整する複数の音量調整器を備えている（特許文献１参照）。
【０００３】
音量調整装置は、各チャネルの音量調整操作のために、フェーダー等の音量操作子を備えている。そして、音量調整装置は複数の音量操作子を備えているが、これらの音量操作子とは別に、外部の音量操作子を接続する制御入力端子を備えることがある。ここでは、このような制御入力端子に着目する。
【０００４】
図７は、音量調整装置の第１の従来例を概念的に示しており、音量調整装置１００は、アナログ式のＶＣＡ（Voltage Contorolled Amplifer）であり、音量調整器１０２、入力端子１０４および出力端子１０６を備えており、音信号は、入力端子１０４から入力され、音量調整器１０２の処理を受け、出力端子１０６から出力される。
【０００５】
音量調整装置１００は、音量調整器１０２を制御するために、制御回路１０８および制御入力端子１１０を備えている。制御入力端子１１０には、音量操作子１１２が接続される。音量操作子１１２の操作を示す信号が、制御入力端子１１０を通って制御回路１０８に入力される。そして、制御回路１０８は、音量操作子１１２の操作量に従って音量調整器１０２を制御し、音量を調整する。例えば、音量操作子１１２の操作により制御入力端子１１０の入力電圧が５Ｖの時は音量調整器１０２を０ｄＢとし、制御入力端子１１０の入力電圧が０Ｖの時は音量調整器１０２を−１００ｄＢとして、出力端子１０６から出力される音量を調整する。
【０００６】
図８は、音量調整装置の第２の従来例を概念的に示している。音量調整装置２００では、音量調整器２０２がＣＰＵ２０８に制御され、ＣＰＵ２０８は、シリアル通信インターフェース２１０を介してパーソナルコンピュータ２１２に接続される。パーソナルコンピュータ２１２からＣＰＵ２０８に音量制御のための信号がシリアル通信で送られる。ＣＰＵ２０８は、パーソナルコンピュータ２１２からの制御信号に応じて、例えば、ＤＳＰ等により構成される音量調整器２０２を制御して、出力端子２０６より出力される音量を調整する。
【０００７】
図９は、音量調整装置の第３の従来例を概念的に示している。音量調整装置３００では、ＣＰＵ３０８が、制御入力端子３１０、３１２を介して、ＵＰスイッチ３１４およびＤＯＷＮスイッチ３１６と接続されている。この構成は、接点信号による制御を行う。ＵＰスイッチ３１４およびＤＯＷＮスイッチ３１６が操作されると、操作を示す制御入力信号がＣＰＵ３０８に入力され、ＣＰＵ３０８が操作に従って音量調整器３０２を制御する。ＵＰスイッチ３１４およびＤＯＷＮスイッチ３１６は例えば押しボタン式のスイッチである。
【特許文献１】実開平７−４２２１９号公報（第１０−１２ページ、図１）
【発明の開示】
【発明が解決しようとする課題】
【０００８】
しかしながら、従来例で説明した第１の音量調整装置においては、音量調整器１０２がアナログタイプであり、そして、制御入力端子１１０と音量調整器１０２の対応が１対１であったため、固定的な制御システムしか構成できないという問題があった。
【０００９】
上記に関し、現状の音量調整器を見ると、ある機種は、入力の固定２チャンネルだけの制御入力端子を備えており、また、ある機種は、出力の固定２チャンネルだけの制御入力端子を備えており、このように限られた制御入力端子しか備えられていない。そのため、入力系を重視したり、出力系を重視したり、というような要求に応じて柔軟に設定を変更できない。
【００１０】
また、第２の従来例は、シリアル通信制御を採用しており、複数のフェーダを１つのシリアル信号で制御することが可能である。しかし、通信ソフトおよび通信機器を用意する必要があるためにシステムが複雑化するという問題がある。
【００１１】
また、第３の従来例は、接点信号による制御を採用しており、そして、接点と音量調整器との関係を定義することも可能である。しかしながら、ＵＰ／ＤＯＷＮスイッチを備えることが前提になっており、そのため、ボリュウムまたはフェーダーといった従来一般の操作子での制御は不可能である。ＵＰ／ＤＯＷＮスイッチ操作は、従来の操作子の操作と整合せず、そのために操作性が低下するという問題がある。
【００１２】
本発明は、上記課題を解決するためになされたもので、その目的は、音量操作子に対応する音量調整器の設定が可能でありながら、フェーダー等の従来の操作子を使用して外部から操作でき、操作性を向上できる音量調整装置を提供することにある。
【課題を解決するための手段】
【００１３】
本発明の音量調整装置は、音量調整器と、外部のアナログ音量操作子から音量を制御するための制御入力信号を入力する入力端子と、前記制御入力信号をデジタル信号に変換するＡＤコンバータと、デジタル信号に変換された制御入力信号に応じて前記音量調整器を制御する制御部とを備えている。音量調整器、例えばＤＳＰで構成される。また、制御部は、例えばＣＰＵで構成され、ＤＳＰを制御する。
【００１４】
この構成により、音量操作子からの制御入力信号をＡＤコンバータでデジタル信号に変換し、デジタル信号に従って制御部が音量調整器を制御するので、音量操作子がフェーダーまたはボリュウム等の構成であってもよい。
【００１５】
本発明の別態様の音量調整装置は、複数の音量調整器の機能を備えた音量調整手段と、外部のアナログ音量操作子から音量を制御するための制御入力信号を入力する制御入力端子と、前記制御入力信号をデジタル信号に変換するＡＤコンバータと、前記音量調整手段から少なくとも一の制御対象の音量調整器を選択するセレクタと、デジタル信号に変換された制御入力信号に応じて、前記セレクタにより選択された前記音量調整器を制御する制御部とを備えている。
【００１６】
この構成により、音量操作子からの制御入力信号をＡＤコンバータでデジタル信号に変換し、デジタル信号に従って制御部が音量調整器を制御する。また、制御対象の音量調整器がセレクタにより選択される。したがって、制御対象の音量調整器の割当てを柔軟に設定でき、かつ、音量操作子がフェーダーまたはボリュウム等の構成であってもよい。
【００１７】
また、本発明の音量調整装置は、前記音量調整手段から選択される少なくとも一の制御対象の音量調整器を示す調整器選択パターンを記憶する調整器選択パターン記憶手段を備えており、前記調整器パターンに示される音量調整器が前記セレクタにより選択される。
【００１８】
この構成により、一つの音量操作子で制御できる音量調整器の組合せのパターンを変更できる。パターンでの切替が可能であり、これにより、操作性をさらに向上できる。
【００１９】
また、本発明の音量調整装置は、前記アナログ音量操作子の操作量と音量の関係を示す調整特性を記憶する調整特性記憶手段を備え、前記制御部は、前記調整特性に従って前記音量調整器を制御する。
【００２０】
この構成により、音量操作子を制御したときの音量変化の特性を設定でき、操作性をさらに向上できる。例えば、ユーザの好みに合わせた特性を設定可能である。これにより、調整感のカスタマイズが可能になり、操作性をさらに向上できる。
【００２１】
また、本発明の音量調整装置において、前記調整特性記憶手段には、操作量に応じた音量の変化が異なる複数種類の調整特性が記憶されており、前記複数種類の調整特性のうちで音量調整に適用される調整特性を切り替える特性切替手段が設けられている。
【００２２】
この構成により、複数種類の調整特性を選択的に適用することができ、調整特性を適当に切り替えることができ、操作性をさらに向上できる。
【発明の効果】
【００２３】
本発明は、音量操作子からの制御入力信号をＡＤコンバータでデジタル信号に変換し、デジタル信号に従って制御部が音量調整器を制御するように構成されており、これにより、フェーダー等の操作子を使用して外部から操作でき、操作性を向上できるという効果を有する音量調整装置を提供することができるものである。
【発明を実施するための最良の形態】
【００２４】
以下、本発明の実施の形態の音量調整装置について、図面を用いて説明する。
【００２５】
本発明の第１の実施の形態の音量調整装置を図１に概念的に示す。図１において、音量調整装置１０は、例えばデジタルミキサであり、音量調整器１２、入力端子１４および出力端子１６を備えている。入力端子１４にマイク等が接続され、出力端子１６にはアンプを介してスピーカが接続され、音声信号を拡声する。
【００２６】
音量調整装置１０には、音量調整器１２を制御するために、制御部２０、ＡＤコンバータ２２、制御入力端子２４および調整特性テーブル記憶部２６が設けられている。制御入力端子２４には、音量操作子３０が接続される。なお、図１では１系統の部分のみが示されているが、実際には、複数の入力系統および複数の出力系統が備えられている。
【００２７】
図１の構成では、音量調整器１２は、ＤＳＰ（Ｄｉｇｉｔａｌ  Ｓｉｇｎａｌ  Ｐｒｏｃｅｓｓｏｒ、以下同じ）で構成されている。また、制御部２０はＣＰＵで構成されている。図示されないが、音量調整装置１０は、通常のミキサと同様に複数の音量調整器１２を備えてよい。これら複数の音量調整器１２の機能が、ＤＳＰにより、ＣＰＵの制御下で実現される。
【００２８】
また、本実施の形態では、音量調整装置１０が上記のようにデジタル式であり、ＤＳＰとＣＰＵで構成されているので、外部の音量操作子３０に対応する音量調整器１２の割当ての設定を自由に変更可能である。すなわち、ＤＳＰは、複数の音量調整器１２の機能を実現できるので、適当に設定された割当てに従って調整対象の音量調整器１２を変更すればよい。
【００２９】
また、音量操作子３０は、ＤＣコントロールのアナログ信号を出すアナログ音量操作子（操作装置）である。音量操作子３０は、従来から一般的に使われているものでよい。音量操作子３０は、フェーダータイプであり、レバーを備えていてもよい。音量操作子３０は、ボリュウムタイプであり、回転つまみを備えていてもよい。音量操作子３０は、レバー移動量等の操作量に応じた信号を出力するように構成されている。
【００３０】
調整特性テーブル記憶部２６は、ＲＡＭ等のメモリで構成されており、調整特性のテーブルを記憶している。調整特性は、音量操作子の操作量と音量の関係を規定する。調整特性は、制御部２０により読み出され、制御入力信号に応じた音量調整器１２の制御に適用される。
【００３１】
図２は、調整特性の例を示している。図２においては、横軸が操作量であり、縦軸が音量であり、調整特性がラインで示されている。
【００３２】
以上のように構成された音量調整装置１０の動作を説明する。音量操作子３０がユーザにより操作されると、制御入力信号が、制御入力端子２４を通ってＡＤコンバータ２２に入力され、デジタル信号に変換される。制御入力信号は、操作量を示す信号である。そして、デジタル形式の制御入力信号が制御部２０に供給される。
【００３３】
制御部２０は、調整特性テーブル記憶部２６に記憶された調整特性テーブルを参照して、制御入力信号に対応する音量を求める。ここで制御入力信号は、音量操作子３０の操作量を示している。そして、調整特性テーブルでは、操作量と音量が対応している。したがって、制御入力信号から音量が特定される。
【００３４】
制御部２０は、調整特性テーブルから得られた音量に従って音量調整器１２を制御する。すなわち、目標の音量の音が発生するように、ＤＳＰの音量調整機能が制御される。入力端子１４から入力された音信号は、音量調整器１２の処理を受け、出力端子１６から出力される。
【００３５】
以上に説明したように、本発明の第１の実施の形態の音量調整装置１０によれば、音量操作子３０からの制御入力信号をＡＤコンバータ２２でデジタル信号に変換し、デジタル信号に従って制御部２０が音量調整器１２を制御するので、音量操作子３０がフェーダーまたはボリュウム等のアナログタイプの構成であってもよい。これにより、従来型の音量操作子３０を使えるので、操作性を向上できる。
【００３６】
また、本実施の形態の音量調整装置１０によれば、操作量と音量の関係を示す調整特性を記憶しており、調整特性に従って音量調整器１２を制御するので、音量操作子３０を制御したときの音量変化の特性を設定できる。これにより、調整感のカスタマイズが可能になり、操作性をさらに向上できる。
【００３７】
図３は、本発明の第２の実施の形態に係る音量調整装置４０を示している。以下、第１の実施の形態と重複する事項の説明は省略する。
【００３８】
第２の実施の形態では、調整特性テーブル記憶部４２が複数種類の調整特性テーブルＡ、Ｂ、Ｃを記憶している。これらの調整特性テーブルでは、操作量に応じた音量の変化が異なっている。
【００３９】
図４は、本実施の形態に適用される複数の調整特性の例である。特性ラインＬＡ、ＬＢ、ＬＣはそれぞれ調整特性テーブルＡ、Ｂ、Ｃに対応している。ラインＬＡは直線である。これに対して、ラインＬＢは、下方に湾曲している。したがって、調整特性テーブルＢが適用されると、音量が小さいときには、制御が鈍感になり、音量が小さいときの微調整が容易になる。一方、ラインＬＣは、上方に湾曲している。したがって、調整特性テーブルＣが適用されると、音量が大きいときの微調整が容易になる。調整特性テーブルＣは、大音量をメインに使うときに適している。
【００４０】
図３に戻ると、制御部２０には、特性選択ボタン４４、４６、４８が接続されている。そして、各ボタンの押下げを示す信号が、制御部２０に入力される。調整特性テーブル４２では、複数の調整特性テーブルＡ、Ｂ、Ｃが、特性選択ボタン４４、４６、４８とそれぞれ関連づけられている。また、本特性選択ボタン４４、４６、４８は、例えば、ＬＣＤ画面に表示して、グラフィカルユーザインターフェースによっても実現できる。
【００４１】
以上のように構成された音量調整装置４０の動作を説明する。本実施の形態では、特性選択ボタン４４、４６、４８のいずれかが押されると、押されたボタンを示す信号が、制御部２０に供給される。これにより、制御部２０は、調整特性の選択を受け付ける。制御部２０は、押されたボタンに対応する調整特性テーブルを調整特性テーブル記憶部４２から読み出し、音量調整器１２の制御に適用する。このとき、制御部２０は、調整特性を切り替える手段として機能する。
【００４２】
その他の動作は、第１の実施の形態と同様である。概略的には、音量操作子３０が操作されると、制御入力信号が制御入力端子２４を通ってＡＤコンバータ２２に供給され、デジタル信号に変換される。制御部２０は、ＡＤコンバータ２２から供給される制御入力信号に従って音量調整器１２を制御する。このとき、制御部２０は、ボタン操作で選択された調整特性テーブルを参照して、制御入力信号に対応する音量目標値を求める。
【００４３】
以上に説明したように、本発明の第２の実施の形態の音量調整装置４０によれば、複数種類の調整特性を記憶しておき、選択的に音量制御に適用するので、調整特性を適当に切り替えることができ、操作性をさらに向上できる。
【００４４】
図５は、本発明の第３の実施の形態に係る音量調整装置６０を示している。以下、前出の実施の形態と重複する事項の説明は省略する。
【００４５】
図５において、音量調整装置６０は音量調整部６２を備えており、音量調整部６２は、ｎ本の入力チャネルと２本の出力チャネルを備えている。そして、ｎ本の入力チャネルには、入力側の音声調整器６４１〜６４ｎが設けられており、２本の出力チャネルには、出力側の音量調整器６６１、６６２が設けられており、入力側の音声調整器６４１〜６４ｎと出力側の音量調整器６６１、６６２の間に加算器６８が設けられている。
【００４６】
上記の音量調整部６２は、ＤＳＰ（Ｄｉｇｉｔａｌ  Ｓｉｇｎａｌ  Ｐｒｏｃｅｓｓｏｒ、以下同じ）で構成されている。したがって、実際には、複数の音量調整器の回路機能が、ＤＳＰの信号処理によって実現される。また、図５の例では、ｎ本の入力チャネルと２本の出力チャネルが示されているが、本発明の範囲内でチャンネル数は任意である。
【００４７】
また、音量調整装置６０には、ｎ本の入力チャネルにｎ個の入力端子７０１〜７０ｎが設けられ、また、２本の出力チャネルに２個の出力端子７２１、７２２が設けられている。
【００４８】
音量調整装置６０は、上記の音量調整部６２の複数の音量調整器を制御するために、制御部７４、セレクタ７６および選択情報記憶部７８を有する。制御部７４は、図示のように、制御対象を切り換えるセレクタ７６を介して、音量調整部６２の各構成を個別に制御する。また、音量調整装置６０は、上述の実施の形態と同様にＡＤコンバータ２２、制御入力端子２４および調整特性記憶部２６を備えており、制御入力端子２４には音量操作子３０が接続される。
【００４９】
セレクタ７６は、制御部７４による制御対象の音量調整器を選択する手段であり、音量調整器の切替手段として機能する。セレクタ７６は、制御部７４によって制御され、そして、制御部７４と共にＣＰＵで構成されている。すなわち、ＣＰＵが、制御部７４およびセレクタ７６として機能し、複数の音量調整器として機能するＤＳＰを制御し、音量調整器の切替処理を行う。
【００５０】
制御部７４には、複数の調整器選択ボタン８０１〜８０ｍが接続されており、押されたボタンを示す信号が制御部７４に入力される。調整器選択ボタン８０１〜８０ｍは、音量調整部６２の音量調整器６４１〜６４ｎ、６６１、６６２とそれぞれ対応している。この対応関係は、テーブル形式で選択情報記憶部７８に記憶されている。選択情報記憶部７８は、ＲＡＭ等のメモリで構成される。ボタンと調整器の対応関係の情報は、制御部７４に読み出され、ボタン群からの信号と共にセレクタ７６の制御に使用される。
【００５１】
以上のように構成された音量調整装置６０の動作を説明する。本実施の形態では、調整器選択ボタン８０１〜８０ｎのいずれかが押されると、押されたボタンを示す信号が、制御部７４に供給される。これにより、制御部７４は、音量調整器の選択を受け付ける。
【００５２】
制御部７４は、選択情報記憶部７８の情報を参照して、押されたボタンに対応する音量調整器を特定する。制御部７４は、特定された音量調整器の音量が調整されるように、セレクタ７６の切替を制御する。セレクタ７６は、制御部７４に制御されて、制御部７４から送られる音量制御信号による制御対象の音量調整器を切り替える。
【００５３】
その他の動作は、前出の実施の形態と同様である。概略的には、音量操作子３０が操作されると、制御入力信号が制御入力端子２４を通ってＡＤコンバータ２２に供給され、デジタル信号に変換される。制御部７４は、ＡＤコンバータ２２から供給される制御入力信号に従って音量調整器を制御する。このとき、調整特性記憶部２６の情報が参照され、制御入力信号から目標音量が求められる。また、このとき、調整器選択ボタンの操作で選択された音量調整器が制御されるように、セレクタ７６が制御対象の音量調整器を選択する処理を行う。
【００５４】
以上に説明したように、本発明の第３の実施の形態の音量調整装置４０によれば、前述の実施の形態と同様に、音量操作子３０からの制御入力信号をＡＤコンバータ２２でデジタル信号に変換し、デジタル信号に従って制御部７４が音量調整器を制御する。また、制御対象の音量調整器がセレクタ７６により選択される。したがって、制御対象の音量調整器の割当てを柔軟に設定でき、かつ、音量操作子３０がフェーダーまたはボリュウム等の構成であってもよい。
【００５５】
なお、本実施の形態でも、第２の実施の形態と同様に、複数種類の調整特性テーブルが記憶されており、それらが切り替えられてもよい。また、調整特性テーブルは、音量調整器によって異なっていてもよい。
【００５６】
図６は、本発明の第４の実施の形態に係る音量調整装置９０を示している。以下、前出の実施の形態と重複する事項の説明は省略する。
【００５７】
本実施の形態では、選択パターン情報記憶部９２が追加されている。また、制御部７４には、選択パターン設定ボタン９４１〜９４３が接続されている。
【００５８】
選択パターン情報記憶部９２は、ＲＡＭ等のメモリで構成されており、複数種類の調整器選択パターンの情報を記憶している。調整器選択パターンは、セレクタ７６による音量調整器の選択状態を示す情報であり、セレクタ７６によって選択されるべき音量調整器の組合せを示している。
【００５９】
より詳細には、調整器選択パターンは、一つの制御操作子から複数の音量調整器を制御可能にするための情報であり、複数の音量調整器のパターン連動を可能にする。各選択パターンには、複数の音量調整器を示す識別情報が含まれており、操作子の操作に応じた各音量調整器の調整動作も規定されている。音量調整器の識別情報は、チャネル番号（識別子）で表されてもよい。例えば、入力側の複数のチャネルの音量調整器の組合せが選択パターンで規定されてもよい。また、選択パターンは、出力側の複数のチャネルの音量調整器の組合せを規定してもよい。また、選択パターンは、入力チャネルと出力チャネルの音量調整器の組合せを規定してもよい。このように、任意の音量調整器の組合せが選択パターンで規定されてよい。
【００６０】
本実施の形態では、３つの選択パターンａ、ｂ、ｃが記憶されている。３つの選択パターン設定ボタン９４１〜９４３は、制御部７４に接続されている。そして、各ボタンの押下げを示す信号が、制御部７４に入力される。選択パターン情報記憶部９２では、３つの選択パターンａ、ｂ、ｃが、３つの選択パターン設定ボタン９４１〜９４３とそれぞれ関連づけられている。
【００６１】
以上のように構成された音量調整装置９０の動作を説明する。本実施の形態では、選択パターン設定ボタン９４１〜９４３のいずれかが押されると、押されたボタンを示す信号が、制御部７４に供給される。これにより、制御部７４は、選択パターンの指定を受け付ける。制御部７４は、選択パターン情報記憶部９２の情報を参照して、押されたボタンに対応する選択パターンを読みとる。制御部７４は、指定された選択パターンに従ってセレクタ７６に音量調整器を選択させ、選択された音量調整器を制御する。
【００６２】
セレクタ７６は、制御部７４に制御されて、制御対象の音量調整器を選択パターンに従って切り替える。これにより、選択パターンが示す複数の音量調整器の音量が、選択パターンに従って調整される。既に説明したように、実際には、一つのＣＰＵのソフトウエア処理で、上記の制御部７４とセレクタ７６の動作が実現される。
【００６３】
その他の動作は、前出の実施の形態と同様である。概略的には、音量操作子３０が操作されると、制御入力信号が制御入力端子２４を通ってＡＤコンバータ２２に供給され、デジタル信号に変換される。制御部７４は、ＡＤコンバータ２２から供給される制御入力信号に従って音量調整器を制御する。このとき、選択パターン設定ボタンの操作で選択された選択パターンに従ってセレクタ７６が制御され、音量調整器が制御され、パターン連動制御が実現される。
【００６４】
ここで、上記のパターン連動制御の好適な応用例を説明する。ここでは、出力系統が、（１）Ｌ（フロント左）スピーカ、（２）Ｒ（フロント右）スピーカ、（３）Ｃ（中央）スピーカ、（４）サブスピーカ、（５）ＳＬ（リア左）スピーカ、（６）ＳＲ（リア右）スピーカ、（７）天井Ｌ（左）スピーカ、（８）天井Ｒ（右）スピーカの８系統であるとする。
【００６５】
そして、音量調整器選択パターンとしては、（Ａ）サラウンド拡声パターン、（Ｂ）ステレオ（ＬＲ）拡声パターン、（Ｃ）天井拡声パターンが設定されているとする。
【００６６】
（Ａ）のサラウンド拡声パターンでは、天井スピーカ（Ｌ、Ｒ）のボリュウム（音量）が絞られ、５．１チャンネルでバランス調整された６個のボリュウムが制御される。天井スピーカ以外の６個の出力系統の組合せが選択される。
【００６７】
（Ｂ）のステレオ拡声パターンでは、ＬスピーカおよびＲスピーカ以外の出力系統のボリュウムが絞られる。そして、ＬスピーカおよびＲスピーカの２個のボリュウムが、同じ操作子で同じ操作感が得られるように制御される。ここでは、前出の調整特性テーブルに関して、ＬスピーカおよびＲスピーカで共通のテーブルが使用され、一つの操作子が操作されたときに両スピーカの音量が同じように調整される。
【００６８】
（Ｃ）の天井拡声パターンでは、天井スピーカ以外の６つの出力系統のボリュウムが絞られ、天井スピーカ（Ｌ、Ｒ）の２個のボリュウムが制御される。ここでも、同じ操作子で同じ操作感が得られるように、ボリュウムが制御される。
【００６９】
なお、本実施の形態でも、調整器選択ボタン８０１〜８０ｍが設けられている。これらのボタンが押されたときは、前述の実施の形態と同様に、押されたボタンに対応する音量調整器が制御される。
【００７０】
また、すべての選択パターンが、複数の音量調整器の組合せでなくてもよい。一部の選択パターンが、一つの音量調整器を指定してもよい。
【００７１】
また、本実施の形態でも、第２の実施の形態と同様に、複数種類の調整特性テーブルが記憶されており、それらが切り替えられてもよい。また、調整特性テーブルは、音量調整器によって異なっていてもよい。
【００７２】
以上に説明したように、本発明の第４の実施の形態の音量調整装置９０によれば、音量調整器の選択パターンを記憶しておき、選択パターンが示す音量調整器を制御するように構成されている。一つの音量操作子３０で制御できる音量調整器の組合せのパターンを変更できる。パターンでの切替が可能であり、これにより、操作性をさらに向上できる。
【００７３】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７４】
以上のように、本発明にかかる音量調整装置は、フェーダー等の操作子を使用して外部から操作でき、操作性を向上できるという効果を有し、ミキサ等として有用である。
【図面の簡単な説明】
【００７５】
【図１】本発明の第１の実施の形態における音量調整装置を示す図
【図２】本発明の第１の実施の形態における調整特性を示す図
【図３】本発明の第２の実施の形態における音量調整装置を示す図
【図４】本発明の第２の実施の形態における調整特性を示す図
【図５】本発明の第３の実施の形態における音量調整装置を示す図
【図６】本発明の第４の実施の形態における音量調整装置を示す図
【図７】従来の音量調整装置を示す図
【図８】従来の音量調整装置を示す図
【図９】従来の音量調整装置を示す図
【符号の説明】
【００７６】
１０  音量調整装置
１２  音量調整器
１４  入力端子
１６  出力端子
２０  制御部
２２  ＡＤコンバータ
２４  制御入力端子
２６  調整特性テーブル記憶部
３０  音量操作子
【図１】
2005328229.tif 000003
【図２】
2005328229.tif 000004
【図３】
2005328229.tif 000005
【図４】
2005328229.tif 000006
【図５】
2005328229.tif 000007
【図６】
2005328229.tif 000008
【図７】
2005328229.tif 000009
【図８】
2005328229.tif 000010
【図９】
2005328229.tif 000011